(57)【要約】【課題】平面状収納物取り出しの容易化【解決手段】  略鉛直な第１の平面（背面板）と、前記第１の平面と略平行に向かい合う第２の平面（前面板）と、前記背面板と前記前面板と、両面の間の底板とを有し、前記前面板の高さが前記背面板、前記前面板、前記底板で囲まれた凹部に複数収納される複数の収納物の高さより低く、前記背面板と、前記底板とのなす角度が、非直角であることを特徴とする収納具。【選択図】      図２
2012045771.tif 000002
【特許請求の範囲】
【請求項１】
略鉛直な第１の平面（背面板）と、前記第１の平面と略平行に向かい合う第２の平面（前面板）と、前記背面板と前記前面板と、両面の間の底板とを有し、前記前面板の高さが前記背面板、前記前面板、前記底板で囲まれた凹部に複数収納される複数の収納物の高さより低く、前記背面板と、前記底板とのなす角度が、非直角であることを特徴とする収納具。
【請求項２】
前記前面板の前記凹部側に、前記底板の前記背面板方向の幅より低い高さの凸部を有することを特徴とする請求項１の収納具。
【請求項３】
前記背面板に、前記収納物を前面板方向に押圧する、弾性体を、前記弾性体の上限が前記前面板の高さ以下となるように、備えることを特徴とする請求項１に記載の収納具。
【請求項４】
前記前面板は、少なくとも可視光に対して透明な材料で構成されていることを特徴とする請求項１乃至５のいずれかの収納具。
【請求項５】
前記角度は１１５度から１６０度の範囲であることを特徴とする請求項１乃至４の収納具。
【請求項６】
複数のシートまたは冊子状の収納物を縦方向に重ねて、請求項１乃至５いずれかの収納部の前記凹部に格納する収納方法。
【発明の詳細な説明】
【技術分野】
【０００１】
本発明は収納具及び収納方法に関する。
【背景技術】
【０００２】
パンフレット等複数組重ねて収納する書架は、内容に興味をもった利用者が、自由に所定の枚数取り出せる構造となっている。また、このような書架は単に収納を目的とするだけでなく、パンフレットを目立たせることにより、宣伝の役割も担っている。このような書架式収納においては、図７に示すように、同じサイズのパンフレット４０が多数枚収納されている場合、重なり合っている為、取り出し時に複数枚一度に取ってしまう場合が多く、取り出しにくかった。また、収納されたパンフレット４０が少数枚数になった時、パンフレット４０の前への倒れこみが発生し、パンフレット４０の文字や図等が見えなくなり、宣伝効果が発揮できない、という問題があった。この問題の一因は、収納具５は底板５１に勾配がなく水平だったため、少数枚からなるパンフレットセット４を挿入した際に収納具５の前面板５２に倒れこむという現象である。
【０００３】
特許文献１では、倒れ込みを防ぐため、収納物の下方部の少なくとも一部を前方に押圧している。
【０００４】
特許文献２では、水平面に載置すると堆積量の増加に伴って幅方向が傾斜した状態になる連続帳票を収納する収納箱において、最上位の水平面に対する傾斜角の略１／２の角度で逆方向に傾いた傾斜面を有するスペーサを用いて、収納物の傾斜を緩和している。
【０００５】
特許文献３では、ローラにより広告シートを常時圧着させ、ローラの回転により上方に突出させ広告用シートを取り易くする構造を開示している。
【先行技術文献】
【特許文献】
【０００６】
【特許文献１】特開２００５−３０６４０７
【特許文献２】特開２００６−２８２３２４
【特許文献３】実登第３０４４５９３号
【発明の概要】
【発明が解決しようとする課題】
【０００７】
本発明が解決しようとする課題は、収納物に損傷を与えることなく、一枚ずつの取り出しが容易な収納具を得ることである。
【０００８】
特許文献１の方法は、収納物にひずみを加えるので、収納物が傷みやすい。また、この方法は、収納物を複数枚引き出してしまうことを防止できない。
【０００９】
特許文献２の方法では水平に載置することを前提としているため、書架方式と異なって宣伝効果が発揮できない。また、この方法でも、収納物は水平状態で完全に重なりあっているので、複数引き出してしまうことも防止できない。
【００１０】
実用新案文献１ではローラにより、広告シートが傷つきやすく、一枚ずつ取り出すには、ローラの圧着力に微調整が必要となる。
本発明は上記課題を解決する収納具を提供することを目的とする。
【課題を解決するための手段】
【００１１】
本発明によれば略鉛直な第１の平面（背面板）と、前記第１の平面と略平行に向かい合う第２の平面（前面板）と、前記背面板と前記前面板と、両面の間の底板とを有し、前記前面板の高さが前記背面板、前記前面板、前記底板で囲まれた凹部に複数収納される複数の収納物の高さより低く、前記背面板と、前記底板とのなす角度が、非直角であることを特徴とする収納具が得られる。
【発明の効果】
【００１２】
本発明の効果は、収納物に損傷を与えることなく、一枚ずつの取り出しが容易な収納具を得ることである。
【図面の簡単な説明】
【００１３】
【図１】図１は本発明の第１〜４の実施形態の収納具を自販機にとりつけた状態を示す全体図である。
【図２】図２は本発明の第１及び４の実施形態の収納具の断面図、正面図、上面図、斜視図である。
【図３】図３は本発明の第１の実施形態の収納具の、Ａ−Ａ‘（図１）断面図である。
【図４】図４は本発明の第２の実施形態の収納具の、Ａ−Ａ‘（図１）断面図である。
【図５】図５は本発明の第２の実施形態の、収納具にパンフレットを入れた後のパンフレットの位置の時間変化である。
【図６】図６は本発明の第３の実施形態の収納具の、Ａ−Ａ‘（図１）断面図である。
【図７】図７は一般的な収納具のＡ−Ａ‘断面である。
【図８】図８は本発明の第１の実施形態のパンフレット段差と底板傾斜角との関係である。
【発明を実施するための形態】
【００１４】
図７は、一般的な収納具５を示している。パンフレットセット４は上端がそろった状態で収納されるので、一枚だけ取り出そうとしても、重なり合って複数枚取り出してしまうことが起こり得る。また、枚数が少なくなると、パンフレットセット４が前面板５２に倒れ、パンフレット４０の表示が見えにくくなる。以下は、これを改善して、パンフレット４０を取り出しやすくする本発明の実施の形態の説明である。
【００１５】
なお、図１は、本発明の収納具３を自販機１に取り付けた状態を示している。収納具３は自販機１のブース２に取り付けられる。以降で示すＡ−Ａ‘断面図とは、直線Ａ−Ａ‘において、紙面垂直方向に切った収納具３の断面図である。
【００１６】
（第１の実施の形態）
図２は本実施の形態の収納具３の全体を示す。（ａ）は収納具３のＡ−Ａ‘の断面図および正面図である。この実施形態の収納具３であって、側板をもたない場合、側面図とＡ−Ａ’の断面図とは、Ａ−Ａ‘の位置に関わらず、等しい。（ｂ）は収納具３の上面図を示している。（ｃ）は収納具３の斜視図である。図２（ａ）の断面図が示すように、底板３１は例えば背面板３４から前面板３２に向かって下降するように、背面板３４と角度θ（θ＞９０度）で傾斜している。なお、収納具３は図示しない側板を有しても良い。
【００１７】
図３（ａ）は、収納物を入れた場合の、収納具３のＡ−Ａ‘断面図である。この収納具３は、複数のパンフレット４０を縦に重ねたパンフレットセット４を、収納凹部３０に、縦に収納する。前面板３２の高さは凹部３０に収納されたパンフレット４０の高さより低く、パンフレット４０を所望する人は、収納具３の前面板３２の上部からパンフレット４０を必要枚数取り出すことができる。収納凹部３０にパンフレットセット４を挿入すると、複数のパンフレット４０の下端が、それぞれ勾配を持った底板３１に接触する。この過程で複数のパンフレット４０同士の接触している面はずれるので、パンフレット４０同士の間に空気が入り、パンフレット４０は互いに離れやすくなる。また、この結果、パンフレットセット４は、その上端が、勾配に沿って高さ方向にずれた状態で、配列するので、この形態によってもパンフレット４０同士は離れやすくなる。そのため、パンフレット４０を一枚だけ必要とする場合も、重なり合って２枚以上が取り出されてしまう無駄が生じにくい。また、本実施形態は、所定枚数を正確に数えて取り出すことも可能とする。本実施形態ではパンフレット４０に損傷を与えるような器具は何ら用いていないので、パンフレット４０の状態は収納前の状態と変わらない。
【００１８】
底板３１の傾斜の向きは背面板３４から前面板３２に向かって下降する向きに限定されるものではない。図３（ｂ）のように、傾斜の向きは、前面板３２から背面板３４に向かって下降する向きとしても構わない。言い換えると、底板３１と背面板３４のなす角度は非直角であれば、９０度より大きくとも、９０度より小さくとも構わない。
【００１９】
但し、一枚だけ容易に取り出せるという効果を十分に発揮するには、隣り合うパンフレット４０同士の高さの差は最低パンフレット４０の厚さ程度であることが、望ましい場合が多い。（パンフレット４０の厚さが比較的厚い場合は、この限りではないことについては後述する。）パンフレット４０が直方体であると近似すると、図８に示すように、隣り合ったパンフレット４０の段差とパンフレット４０の厚みとが等しい場合（図８でｆ＝ｄのとき）、θ―９０は４５度となる。したがって９０度より大きい場合の角度θは１３５度程度であることが好ましい。この角度は、厚みに応じた適切な段差をパンフレット４０間にもたらすので、パンフレット４０の取り出しは容易となる。なお、各パンフレット４０の表面上部の一定領域を前面から見える状態としたい等の事情がある場合、角度θはさらに大きな値でも良い。
【００２０】
パンフレット４０が比較的厚く、隣り合うパンフレット４０同士の位置の高さの差が必ずしもパンフレット４０の厚さ以上には必要ない、という場合は、角度θはこの値より小さい値でもよい。例えば、パンフレット４０の厚さが１ｃｍ、段差が０．５ｃｍの場合、角度θは１３５度より小さい、１１７度程度となる。
【００２１】
９０度より大きい場合の、角度θの上限値は、パンフレット４０が安定収納される、段差がパンフレット４０の厚さの２倍となる１６０度程度が望ましい。
【００２２】
θが９０度より小さい場合も、θの範囲は上記と同様に算出される。なお、上記は本実施形態の一例に過ぎず、利用者は、自動販売機の形状等に合わせて、適宜θを選ぶことができる。
【００２３】
収納具３を構成する材料のうち前面板３２を構成する材料は、塩化ビニール、アクリル、ガラス、等の透明材料であることが望ましい。ただし、広告主にとって必要な、文字、図柄だけの露出を行う場合は、非透明材料に窓をあける構造でも構わない。前面板３２以外を構成する材料は、特に限定されない。プラスチック、木材、金属、セラミック、紙、布等のいずれをも、この実施形態では利用することができる。
【００２４】
本実施形態の効果は、パンフレット等の平面状収納物を重ねて収納する収納具において、収納物に損傷を与えることなく、一枚ずつの収納物の取り出しを容易にすることであ。
（第２の実施形態）
図４は、パンフレット４０を顧客に目立たせて、宣伝効果を発揮するために、収納具３の前面板３２に凸部３３を取り付けた状態を示している。図５は、パンフレットセット４を収納凹部３０に入れてから、底板３１の上を移動して止まるまでの、パンフレットセット４０の位置の変化を示している。パンフレットセット４を収納凹部３０に入れると（ａ）、パンフレットセット４は底板３１の勾配に沿って下端が移動する（ｂ）。パンフレットセット４の最後尾のパンフレット４０は上端側が背面板３４に寄りかかる状態となるので、背面板３４に向かって傾いた状態（ｃ）となる。パンフレット４０が前面板３２に向かって倒れることは、凸部３３によって防止されるので、最後の一枚に至るまで、顧客はパンフレット４０の表示内容をよく見ることができる。本実施形態の凸部３３は、パンフレット４０にほとんど損傷を与えるものではないので、パンフレット４０の状態は収納前の状態とほとんど変わらない。
【００２５】
凸部３３の前面板３２への取り付け方法は、宣伝効果を阻害しない方法であれば、接着材による接着、ねじ止め、嵌め合い等、どのような方法をとっても構わない。
【００２６】
収納具３を構成する材料は、第１の実施形態と同様に選択することができる。凸部３３の材料は塩化ビニール、アクリル、ガラス、等の透明材料であることが望ましいが、広告効果を阻害しない大きさであれば、特に材料を選ぶ必要はない。
【００２７】
本実施形態の効果は、パンフレット等の平面状収納物を重ねて収納する収納具において、収納物に損傷を与えることなく、一枚ずつの収納物の取り出しを容易にすることと、パンフレット４０の広告効果を上げることである。また、本実施形態の効果は、パンフレット４０が前面板３２に向かって倒れ込む現象を防止することである。
（第３の実施形態）
図６は、本発明の第３の実施形態を示している。この実施形態は第１の実施形態において、背面板３４に、パンフレットセット４を面で抑える押し出し機構６を取り付けたものである。押し出し機構６は、パンフレットセット４が少数になった場合に、パンフレットセット４が背面板３４に向かって丸まって倒れ込み、パンフレット４０が取り出しにくくなることを防止する。
【００２８】
押し出し機構６は、バネ７と接触板８とで構成されている。金属性のバネ７は、プラスチックの接触板８を備えており、金属性のバネ７が直接パンフレット４０に接触することはない。バネ７は、パンフレットセット４の厚みによって収納凹部３０の奥行き方向に伸縮する。バネ７の自然長は奥行き方向の深さ以上であり、パンフレットセット４が最後の一枚（または一冊）になっても、パンフレット４０が後ろ側に丸まることはない。
【００２９】
第３の実施形態における前面板３２の高さは、押し出し機構６によるパンフレット４０の前面板３２の縁での倒れ込みを防止するため、少なくともバネ７の上端の高さより高い。この高さは、パンフレット４０の取り出しに支障がない程度である。高さの増加によってパンフレット４０が見えにくくなることは、前面板３２に必要に応じて透明素材を用いることで防ぐことができる。
【００３０】
バネ７の自然長は収納凹部３０の奥行き方向の深さ以上であるので、パンフレットセット４が最後の一枚（または一冊）になっても、パンフレット４０の表面は平面を保つことができる。また、押し出し機構６は平面でパンフレット４０を押しているので、ローラでパンフレットを押し上げる場合等にくらべて、パンフレット４０が受ける損傷は極めて小さい。なお、押し出し機構６は、バネ以外の弾性体でも、構成することができる。ゴム、蛇腹等が、押し出し機構６として、利用可能である。また、接触板８の素材は、パンフレットセット４を傷つけないものであれば、ゴム、布など、プラスチック以外の素材を用いても構わない。
【００３１】
本実施形態の効果は、パンフレット等の平面状収納物を重ねて収納する収納具において、収納物に損傷を与えることなく、収納物の取り出しを容易にすることと、背面板３４に向かって倒れ込む現象を防止することである。
【００３２】
以上の実施形態は、側面のない収納具３について説明したが、側面は必要に応じてつけることもできる。また、以上の実施形態は、収納具３を自販機１などの構造物に固定することを前提としているが、収納具３は必ずしも構造物に固定する必要はない。収納具３の
下部に脚部をとりつけることによって、収納具３は構造物に支持させることなく単体で設置されることが可能である。
【符号の説明】
【００３３】
１    自販機
２    ブース
３    収納具
４    パンフレットセット
５    収納具
６    押し出し機構
７    バネ
８    接触板
３０    収納凹部
３１    底板
３２    前面板
３３    凸部
３４    背面板
４０    パンフレット
５１    底板
５２    前面板
【図１】
2012045771.tif 000003
【図２】
2012045771.tif 000004
【図３】
2012045771.tif 000005
【図４】
2012045771.tif 000006
【図５】
2012045771.tif 000007
【図６】
2012045771.tif 000008
【図７】
2012045771.tif 000009
【図８】
2012045771.tif 000010